(57)【要約】【課題】テレビやオーディオの音を含むユーザー周囲に騒音あっても、空気調和機からの音声応答を判別可能とする。【解決手段】室内ユニット２０で赤外線制御信号に対応した音声応答機能を有し、音声応答音量レベルを可変とした空気調和機において、複数の操作スイッチからなる制御信号入力手段１と、マイク１１からなる音声信号入力手段２と、前記音声信号入力手段の信号により空気調和機の音声応答信号音量レベルを作成する音声応答信号レベル判断手段３と、前記制御信号入力手段と前記音声応答信号レベル判断手段により空気調和機の各種制御データ作成する赤外線制御信号作成手段４と、空気調和機を制御する赤外線信号を出力する赤外線信号出力手段５とを備え、前記赤外線制御信号作成手段で作成する空気調和機制御データを通常制御信号と音声応答音量レベル制御信号としたものである。【選択図】図１
2008232526.tif 000002
【特許請求の範囲】
【請求項１】
室内ユニットで赤外線制御信号に対応した音声応答機能を有し、音声応答音量レベルを可変とした空気調和機において、複数の操作スイッチからなる制御信号入力手段と、マイクからなる音声信号入力手段と、前記音声信号入力手段の信号により空気調和機の音声応答信号音量レベルを作成する音声応答信号レベル判断手段と、前記制御信号入力手段と前記音声応答信号レベル判断手段により空気調和機の各種制御データ作成する赤外線制御信号作成手段と、空気調和機を制御する赤外線信号を出力する赤外線信号出力手段とを備え、前記赤外線制御信号作成手段で作成する空気調和機制御データを通常制御信号と音声応答音量レベル制御信号とする空気調和機の遠隔制御装置。
【請求項２】
入力される音声信号レベルに応じて、少なくとも２段階の音量で音声応答を行う請求項１に記載の空気調和機の遠隔制御装置。
【請求項３】
入力される音声信号レベルに応じた補正音量を選択可能とした請求項１に記載の空気調和機の遠隔制御装置。
【請求項４】
入力される音声信号レベルを平均した値を元に音声応答音量レベルの判定を行なう請求項１から３に記載の空気調和機の遠隔制御装置。
【発明の詳細な説明】
【技術分野】
【０００１】
本発明は、赤外線ワイヤレスリモコンを具備し、室内ユニットで赤外線制御信号に対応した音声応答機能を有した空気調和機の遠隔制御装置に関するものである。
【背景技術】
【０００２】
従来、この種の空気調和機では赤外線信号を用いてワイヤレスリモコンのスイッチ操作を空気調和機の室内ユニットに制御信号として送信するが、室内ユニット側では制御信号の受信確認音をブザーを用いて発生させている。また、ユーザーの利便性・操作に対する識別性の向上の為にスピーカーを用いて音声応答する空気調和機が実現されている。スピーカーを具備した空気調和機の室内ユニットと、赤外線を用いたワイヤレスリモコンから構成されている（例えば、特許文献１参照）。
【特許文献１】特開２００１−１２８２６４号公報
【発明の開示】
【発明が解決しようとする課題】
【０００３】
しかしながら、前記従来の構成では、ユーザーがワイヤレスリモコンを操作する事により、空気調和機の室内ユニットのスピーカーから音声による応答が行われるが、テレビやオーディオの音を含むユーザー周囲の騒音により、空気調和機の音声応答が聞こえにくいという課題を有していた。
【０００４】
本発明は、前記従来の課題を解決するもので、周囲の騒音の影響を最小限に抑えてユーザーの操作に対する識別性を向上させた空気調和機の遠隔制御装置を提供することを目的とする。
【課題を解決するための手段】
【０００５】
前記従来の課題を解決するために、本発明の空気調和機の遠隔制御装置は、複数の操作スイッチからなる制御信号入力手段と、マイクからなる音声信号入力手段と、前記音声信号入力手段の信号により空気調和機の音声応答信号音量レベルを作成する音声応答信号レベル判断手段と、前記制御信号入力手段と前記音声応答信号レベル判断手段により空気調和機の各種制御データ作成する赤外線制御信号作成手段と、空気調和機を制御する赤外線信号を出力する赤外線信号出力手段とを備え、前記赤外線制御信号作成手段で作成する空気調和機制御データを通常制御信号と音声応答音量レベル制御信号としたものである。
【０００６】
これによって、空気調和機のワイヤレスリモコンを操作するとワイヤレスリモコン周囲の騒音レベルに応じて音声応答の音量を変更することで室内ユニットからの音声応答が容易に聞こえることになり、ユーザーの操作に対する識別性を向上させた空気調和機の遠隔制御装置が実現される。
【発明の効果】
【０００７】
本発明の空気調和機の遠隔制御装置は、ユーザー周囲の騒音レベルが高い時には音声応答の音量レベルを高めることによりユーザーによる音声応答の誤認識を防止でき、安価で操作性に対する識別性に富む空気調和機の遠隔制御装置を実現することができる。
【発明を実施するための最良の形態】
【０００８】
第１の発明は、複数の操作スイッチからなる制御信号入力手段１と、マイクからなる音声信号入力手段２と、前記音声信号入力手段の信号により空気調和機の音声応答信号音量レベルを作成する音声応答信号レベル判断手段３と、前記制御信号入力手段と前記音声応
答信号レベル判断手段の信号により空気調和機の各種制御データを作成する赤外線制御信号作成手段４と、空気調和機を制御する赤外線信号を出力する赤外線信号出力手段４とを備え、前記赤外線制御信号作成手段で作成する空気調和機制御データを通常制御信号と音声応答音量レベル制御信号とし、前記音声信号入力手段の信号レベルに応じた音量で音声応答することにより、室内ユニットからの音声応答音量レベルが容易に聞こえることになり、操作に対する識別性に富む空気調和機の遠隔制御装置を実現することができる。
【０００９】
第２の発明は、入力される音声信号レベルに応じて、少なくとも２段階の音量で音声応答を行うことにより、簡易な回路構成となり安価に作成することができる。
【００１０】
第３の発明は、入力される音声信号レベルに応じた補正音量を選択可能とすることにより、ユーザーに応じて音声応答の音量を最適にできる。
【００１１】
第４の発明は、入力される音声信号レベルの平均値を元に音声応答音量レベルを判定することにより、周辺騒音の瞬時変動に左右されずに音声応答の音量を最適にできる。
【００１２】
以下、本発明の実施の形態について、図面を参照しながら説明する。なお、この実施の形態によって本発明が限定されるものではない。
【００１３】
（実施の形態１）
図１は、本発明の第１から４の実施の形態における遠隔制御装置のブロック構成を示すもので、図６は室内ユニットとワイヤレスリモコンの位置関係を示すものである。
【００１４】
図１において、制御信号入力手段１は複数の操作スイッチからなり、音声信号入力手段２はマイク１１からなる。音声応答信号レベル判断手段３は前記音声信号入力手段の信号により空気調和機の音声応答信号音量レベルを作成し、赤外線制御信号作成手段４は前記制御信号入力手段と前記音声応答信号レベル判断手段の信号により指示された空気調和機の各種制御データを作成し、赤外線信号出力手段５は空気調和機を制御する赤外線信号を出力する赤外線送信部を有し、空気調和機の遠隔制御装置を構成している（実施の形態１から４に共通の構成）。
【００１５】
図２は、本発明の第１の実施の形態における動作を示すフローチャートである。以上のように構成された空気調和機の遠隔制御装置について、図２をもちいて以下その動作、作用を説明する。
【００１６】
まず、処理がスタートすると、ステップＲ１でスイッチが操作されたかを判断して、スイッチ操作がないと判断すると終了に進みその他の処理を行う。スイッチ操作があると判断すると、ステップＲ２に進む。ステップＲ２においてスイッチ操作によりエアコン制御変更要求が発生するかを判断して、エアコン制御変更要求が無いと判断すると終了に進みその他の処理を行う。エアコン制御変更要求があると判断するとステップＲ３に進む。ステップＲ３においてリモコン内蔵マイクで騒音レベルを検出しステップＲ４に進む。ステップＲ４においてステップＲ３で検出した騒音レベルを基に音声応答音量レベルを設定しステップＲ５に進む。ステップＲ５において音声応答音量レベルデータをエアコン制御信号として送信処理を行いステップＲ６に進む。ステップＲ６においてスイッチ操作に応じたエアコン制御信号を作成してステップＲ７に進む。ステップＲ７においてステップＲ６で作成されたエアコン制御信号を送信して終了に進み、その他の処理を行う。図示は省略しているが、その他の処理を実行後スタートに戻り処理を繰り返す。
【００１７】
以上のように、本実施の形態においては空気調和機のワイヤレスリモコンを操作すると周囲の騒音レベルが高い時には音声応答音量レベルを高めるデータ送信を実施し、データ
を受信した空気調和機の室内ユニットは音声応答音量を高められ、室内ユニットからの音声応答が容易に聞こえることになり、安価かつワイヤレスリモコンの操作性を損ねることなく、ユーザーフレンドリーな遠隔制御装置を実現することができる。
【００１８】
（実施の形態２）
図３は、本発明の第２の実施の形態における動作を示すフローチャートである。図３において第１の実施例と同じ処理については同一ステップ番号を付与することとして説明を割愛する。
【００１９】
ステップＲ８においてステップＲ３で検出した周囲の騒音レベルと所定の音量レベルとの比較を行い、周囲の騒音レベルが所定の音量レベル以上の場合ステップＲ１０に進む。所定の音量レベル未満の場合ステップＲ９に進む。ステップＲ９において低レベルに設定した音声応答音量レベルデータをエアコン制御信号として送信処理を行いステップＲ６に進む。ステップＲ１０において高レベルに設定した音声応答音量レベルデータをエアコン制御信号として送信処理を行いステップＲ６に進む。
【００２０】
この実施形態によれば、入力される音声信号レベルに応じて、少なくとも２段階の音量で音声応答を行うことにより、簡易な回路構成となり安価に製品をユーザーに供給することができる。
【００２１】
（実施の形態３）
図４は、本発明の第３の実施の形態における動作を示すフローチャートである。図４において第１の実施例と同じ処理については同一ステップ番号を付与することとして説明を割愛する。
【００２２】
ステップＲ１１においてユーザーが事前に設定した音量設定レベルを判定しレベル１以外の場合ステップＲ１３に進み、レベル１の場合ステップＲ１２に進む。ステップＲ１２において周囲の騒音レベルに所定の音量レベル１を加算して音声応答信号の音量レベルを設定することで音声応答出力信号を作成してステップＲ５に進む。ステップＲ１３において周囲の騒音レベルに所定の音量レベル２を加算して音声応答信号の音量レベルを設定することで音声応答出力信号を作成してステップＲ５に進む。
【００２３】
この実施形態によれば、入力される音声信号レベルに応じた補正音量を選択可能とすることにより、ユーザーに応じて音声応答の音量を最適にできるため、ユーザーの認識性を向上することができる。
【００２４】
（実施の形態４）
図５は、本発明の第４の実施の形態における動作を示すフローチャートである。図５において第１の実施例と同じ処理については同一ステップ番号を付与することとして説明を割愛する。
【００２５】
ステップＲ１においてＳＷ操作が無いと判断された時にはステップＲ１５に進みＳＷ操作が有ると判断した時にはステップＲ２に進む。ステップＲ１５においてリモコン内蔵マイクで騒音レベルを検出し終了に進み、その他の処理を行う。ステップＲ２においてスイッチ操作によりエアコン制御変更要求が発生するかを判断して、エアコン制御変更要求が無いと判断するとステップＲ１５に進む。エアコン制御変更要求があると判断するとステップＲ３に進む。ステップＲ１４においてＳＷ操作前から所定時間のステップＲ３およびステップＲ１５で検出した騒音レベルデータを平均した値を基に音声応答音量レベルを設定しステップＲ５に進む。
【００２６】
この実施形態によれば、周辺騒音の瞬時変動に左右されずに音声応答の音量を最適に保つことができる。
【産業上の利用可能性】
【００２７】
以上のように、本発明にかかる空気調和機の遠隔制御装置は、ユーザー周囲の騒音レベルが高い時には音声応答の音量を上げることにより、ユーザーによる音声応答の誤認識を防止でき、安価で操作に対する認識性に富む空気調和機の遠隔制御装置を実現することができる。
【図面の簡単な説明】
【００２８】
【図１】本発明の実施の形態１における遠隔制御装置のブロック図
【図２】本発明の実施の形態１における動作を示すフローチャート
【図３】本発明の実施の形態２における動作を示すフローチャート
【図４】本発明の実施の形態３における動作を示すフローチャート
【図５】本発明の実施の形態４における動作を示すフローチャート
【図６】本発明の空気調和機の室内ユニットとワイヤレスリモコンの位置関係図
【符号の説明】
【００２９】
１  制御信号入力手段
２  音声信号入力手段
３  音声応答信号レベル判断手段
４  赤外線制御信号作成手段
５  赤外線信号出力手段
１０  ワイヤレスリモコン
１１  マイク
２０  空気調和機の室内ユニット
２１  スピーカー
【図１】
2008232526.tif 000003
【図２】
2008232526.tif 000004
【図３】
2008232526.tif 000005
【図４】
2008232526.tif 000006
【図５】
2008232526.tif 000007
【図６】
2008232526.tif 000008